(57)【特許請求の範囲】
【請求項１】
ロープウインチを備えた自走可能な車体と、前記車体に取付けられ上，下方向に延びるフロントと、前記フロントの上端側に回転可能に設けられたシーブと、基端側が前記ロープウインチに巻回され先端側が前記シーブから垂下したワイヤロープと、前記ワイヤロープの先端側に回転可能に吊下げられたケリーバと、前記ケリーバの下端側に取付けられ立坑を掘削する掘削具とを備えてなるアースドリルにおいて、
前記ワイヤロープが前記シーブに巻込まれるときに該ワイヤロープに付着した泥水が地上に向けて落下するのを抑えるため、前記シーブの下側には、上側が泥水が流入する流入開口となった有底の泥水受けを設ける構成としたことを特徴とするアースドリル。
【請求項２】
前記泥水受けには、この泥水受け内に落下した泥水を集めて地面側へと導く排水用ホースを設ける構成としてなる請求項１に記載のアースドリル。
【請求項３】
前記フロントの上端側には、該フロントを挟んで前記ケリーバ側に位置するケリーバ側シーブと前記ロープウインチ側に位置するウインチ側シーブとを回転可能に支持するシーブブラケットを設け、前記泥水受けは、前記各シーブの下側に位置して前記シーブブラケットにそれぞれ設ける構成としてなる請求項１または２に記載のアースドリル。
【請求項４】
前記泥水受けは、前記シーブの下側に着脱可能に取付ける構成としてなる請求項１，２または３に記載のアースドリル。
【発明の詳細な説明】
【０００１】
【発明の属する技術分野】
本発明は、例えば地中に立坑を掘削するのに好適に用いられるアースドリルに関する。
【０００２】
【従来の技術】
一般に、ビル等の建設現場においては、地中深く掘削した立坑内にコンクリート等を流し込むことにより地盤を固める作業が行われ、地中に立坑を掘削する作業にはアースドリルが好適に用いられている。
【０００３】
そして、この種の従来技術によるアースドリルは、通常、ロープウインチを備えた自走可能な車体と、車体に取付けられ上，下方向に延びるフロントと、フロントの上端側に回転可能に設けられたシーブと、基端側がロープウインチに巻回され先端側が前記シーブから垂下したワイヤロープと、ワイヤロープの先端側に回転可能に吊下げられたケリーバと、ケリーバの下端側に取付けられた掘削バケットとにより大略構成されている（例えば、実公昭６３−１２２２３号公報等）。
【０００４】
ここで、ケリーバは、互いに口径の異なる複数の筒体を同軸状に重合わせることにより軸方向に伸縮可能に構成され、各筒体のうち最も内側に位置する筒体（インナケリーバ）の上端部がスイベルジョイントを介してワイヤロープに回転可能に吊下げられ、インナケリーバの下端側には掘削バケットが取付けられている。
【０００５】
そして、各筒体のうち最も外側に位置する筒体（アウタケリーバ）がドライブ装置によって回転駆動され、このアウタケリーバの回転が、各筒体を介してインナケリーバに伝達されることにより、インナケリーバの下端側に取付けられた掘削バケットによって立坑を掘削することができる。
【０００６】
この場合、掘削バケットは、その内部に掘削した土砂を収容しつつ立坑を掘り進むため、掘削バケット内に土砂が充満したときには、一旦、ロープウインチによってワイヤロープを巻取ることにより、ケリーバと掘削バケットを地面上に引上げた後、掘削バケット内の土砂を排出する排土作業を行う。
【０００７】
このように、アースドリルを用いた立坑の掘削作業時には、立坑に対して頻繁に掘削バケットを出し入れする必要があり、ケリーバを吊下げるワイヤロープは、ロープウインチの巻取り、巻出し作業に応じて頻繁にシーブを通過することになる。
【０００８】
そして、掘削作業が進行して立坑の掘削深度が大きくなると、掘削バケットが取付けられたインナケリーバが徐々に立坑内へと入り込み、やがてインナケリーバの上端部に取付けられたスイベルジョイント、ワイヤロープも立坑内に入り込むようになる。
【０００９】
【発明が解決しようとする課題】
ところで、上述した立坑の掘削作業時には、通常、安定液と呼ばれる液体を立坑内に注入し、この安定液によって掘削した立坑の内壁が崩れ落ちるのを防止するようにしている。このため、立坑内は上述の安定液、地下水等が混じり合った泥水が充満しており、掘削深度が大きくなったときには、掘削バケットのみならずスイベルジョイント、ワイヤロープ等も泥水内に水没することになる。
【００１０】
従って、掘削バケット内の土砂を排出するため、ロープウインチによってワイヤロープを巻取って掘削バケットを地面上に引き上げるときに、泥水に浸かったワイヤロープがシーブに巻込まれると、ワイヤロープがシーブによって絞られることにより、該ワイヤロープに付着した泥水が地上に落下してくる。このため、立坑の周囲で作業を行う作業者、アースドリルの車体等に向けてワイヤロープから落下した泥水が飛散し、作業環境が著しく低下してしまうという問題がある。
【００１１】
本発明は上述した従来技術の問題に鑑みなされたもので、ケリーバを吊下げるワイヤロープに付着した泥水が地上に落下するのを抑え、掘削作業時の作業環境を向上することができるようにしたアースドリルを提供することを目的としている。
【００１２】
【課題を解決するための手段】
上述した課題を解決するため、本発明は、ロープウインチを備えた自走可能な車体と、前記車体に取付けられ上，下方向に延びるフロントと、前記フロントの上端側に回転可能に設けられたシーブと、基端側が前記ロープウインチに巻回され先端側が前記シーブから垂下したワイヤロープと、該ワイヤロープの先端側に回転可能に吊下げられたケリーバと、該ケリーバの下端側に取付けられ立坑を掘削する掘削具とを備えてなるアースドリルに適用される。
【００１３】
そして、請求項１の発明が採用する構成の特徴は、ワイヤロープがシーブに巻込まれるときに該ワイヤロープに付着した泥水が地上に向けて落下するのを抑えるため、シーブの下側には、上側が泥水が流入する流入開口となった有底の泥水受けを設けたことにある。
【００１４】
このように構成したことにより、掘削作業時にワイヤロープに立坑内の泥水が付着し、ワイヤロープがシーブに巻込まれるときに該ワイヤロープから泥水が絞り出されたとしても、この泥水をシーブの下側に設けた泥水受けによって受けることができる。このため、ワイヤロープからの泥水が地上に落下するのを抑えることができ、掘削作業時の作業環境を向上することができる。
【００１５】
請求項２の発明は、泥水受けには、この泥水受け内に落下した泥水を集めて地面側へと導く排水用ホースを設ける構成としたことにある。
【００１６】
このように構成したことにより、ワイヤロープから絞り出されて泥水受け内に落下した泥水を、排水用ホースによって地面側へと導き、所望の排水場所に排出することができる。
【００１７】
請求項３の発明は、フロントの上端側には、該フロントを挟んでケリーバ側に位置するケリーバ側シーブとロープウインチ側に位置するウインチ側シーブとを回転可能に支持するシーブブラケットを設け、泥水受けは、各シーブの下側に位置してシーブブラケットにそれぞれ設ける構成としたことにある。
【００１８】
このように構成したことにより、掘削作業時にワイヤロープに付着し、ケリーバ側シーブに巻込まれるときにワイヤロープから絞り出された多くの泥水を、ケリーバ側シーブの下側に設けた泥水受けによって受けることができる。また、ケリーバ側シーブを通過したワイヤロープに泥水が残留していたとしても、この泥水をウインチ側シーブの下側に設けた泥水受けによって受けることができる。
【００１９】
請求項４の発明は、泥水受けは、シーブの下側に着脱可能に取付ける構成としたことにある。
【００２０】
このように構成したことにより、アースドリルの輸送時等において、車体に対するフロントの分解、組立を行う場合に、各泥水受けをフロントに対して着脱することができ、この分解、組立作業時に誤って泥水受けを破損してしまうのを抑えることができる。
【００２１】
【発明の実施の形態】
以下、本発明に係るアースドリルの実施の形態を、図１ないし図７を参照しつつ詳細に説明する。
【００２２】
図中、１はアースドリルの車体で、この車体１は、クローラ式の下部走行体２と、下部走行体２上に旋回可能に搭載された上部旋回体３とにより構成されている。そして、上部旋回体３は、旋回フレーム４と、旋回フレーム４の前部側に設けられたキャブ５と、キャブ５の後側に設けられた建屋カバー６と、建屋カバー６の後側に設けられたカウンタウエイト７とにより大略構成されている。
【００２３】
ここで、旋回フレーム４の前端側には、後述するリーダ１２の下端側を支持するリーダブラケット８が設けられ、旋回フレーム４のうちリーダブラケット８よりも後側となる部位には、後述するバックステーシリンダ１３の下端側を支持するサポートフレーム９が設けられている。
【００２４】
また、上部旋回体３には、後述する主巻ロープ１８の巻取り、巻出しを行うロープウインチとしての主巻ウインチ１０と、後述する補巻ロープ１９の巻取り、巻出しを行う補巻ウインチ１１とが、前，後に離間して設けられている。
【００２５】
１２はリーダブラケット８を介して上部旋回体３の旋回フレーム４に取付けられたフロントとしてのリーダで、このリーダ１２は長尺な筒体により構成されている。そして、リーダ１２は、その下端側がリーダブラケット８によって支持され、地面に対してほぼ垂直に上，下方向に延びている。また、リーダ１２の外周側には、後述するドライブ装置２６等を上，下方向に案内するための案内レール１２Ａが設けられている。
【００２６】
１３は上部旋回体３側のサポートフレーム９とリーダ１２との間に設けられた左，右（右側のみ図示）のバックステーシリンダで、このバックステーシリンダ１３は、ボトム側がリーダ１２の長さ方向中間部にピン結合されたチューブ１３Ａと、このチューブ１３Ａ内に摺動可能に設けられたピストン（図示せず）と、基端側がピストンに固着され先端側がチューブ１３Ａから突出したロッド１３Ｂとにより構成され、ロッド１３Ｂの先端側はサポートフレーム９にピン結合されている。そして、バックステーシリンダ１３は、ロッド１３Ｂを縮小させたときには、リーダ１２を地面に対してほぼ垂直な姿勢に保持し、ロッド１３Ｂを伸長させたときには、リーダ１２を地面に対してほぼ水平な姿勢へと変位させるものである。
【００２７】
１４はリーダ１２の上端側に取付けられたシーブブラケットで、該シーブブラケット１４は、図２に示すように全体としてほぼ三角形状に形成され、強固な骨組み構造をなしている。そして、シーブブラケット１４の２つの角隅部１４Ａ，１４Ｂには、後述のケリーバ側シーブ１６，ウインチ側シーブ１７が回転可能に設けられている。１５はシーブブラケット１４と共にリーダ１２の上端側に取付けられた他のシーブブラケットで、該シーブブラケット１５はほぼ水平に延び、その両端側にはそれぞれシーブ（図示せず）が回転可能に設けられている。なお、図２ではシーブブラケット１５の両端側を省略している。
【００２８】
１６はシーブブラケット１４の角隅部１４Ａに回転可能に取付けられたケリーバ側シーブ、１７はシーブブラケット１４の角隅部１４Ｂに回転可能に取付けられたウインチ側シーブで、ケリーバ側シーブ１６はリーダ１２を挟んで後述のケリーバ２２側に配置され、ウインチ側シーブ１７はリーダ１２を挟んで主巻ウインチ１０側に配置されている。そして、これらケリーバ側シーブ１６、ウインチ側シーブ１７は、後述する主巻ロープ１８が巻回され、この主巻ロープ１８の先端部を地面側に案内するものである。
【００２９】
１８は基端側が主巻ウインチ１０に巻回されたワイヤロープからなる主巻ロープで、この主巻ロープ１８の先端側は、シーブブラケット１４に設けられた各シーブ１７，１６に巻回されて下方に垂下している。そして、主巻ロープ１８は、後述のスイベルジョイント２１を介してケリーバ２２を回転可能に吊下げるものである。
【００３０】
１９は基端側が補巻ウインチ１１に巻回されたワイヤロープからなる補巻ロープで、この補巻ロープ１９の先端側は、シーブブラケット１５に設けられた各シーブ（図示せず）に巻回されて下方に垂下し、その先端部には吊荷作業を行うためのフック２０が取付けられている。
【００３１】
２１は主巻ロープ１８の先端部に取付けられたスイベルジョイントで、このスイベルジョイント２１は、後述するケリーバ２２の上端部に取付けられ、該ケリーバ２２を回転可能に支持している。これにより、ケリーバ側シーブ１６から垂下した主巻ロープ１８の先端側に、スイベルジョイント２１を介してケリーバ２２が回転可能に吊下げられる構成となっている。
【００３２】
２２は主巻ロープ１８の先端側に回転可能に吊下げられたケリーバで、このケリーバ２２は、例えば図３に示すように、互いに口径の異なるインナケリーバ２２Ａ、中間ケリーバ２２Ｂ、アウタケリーバ２２Ｃを同軸状に重合わせることにより軸方向に伸縮可能に構成されている。そして、最も内側に位置するインナケリーバ２２Ａの上端部が、スイベルジョイント２１を介して主巻ロープ１８に回転可能に吊下げられ、最も外側に位置するアウタケリーバ２２Ｃが、後述するドライブ装置２６によって回転駆動されることにより、このアウタケリーバ２２Ｃの回転が、中間ケリーバ２２Ｂを介してインナケリーバ２２Ａに伝達される構成となっている。
【００３３】
２３はケリーバ２２（インナケリーバ２２Ａ）の下端側に取付けられた掘削具としての掘削バケットで、この掘削バケット２３は、中空円筒状の土砂収容筒部２３Ａと、この土砂収容筒部２３Ａの下側に位置するドリル部２３Ｂとを備えている。そして、掘削バケット２３は、ケリーバ２２と一体に回転することにより、ドリル部２３Ｂによって地中を掘削し、掘削した土砂を土砂収容筒部２３Ａ内に収容しつつ立坑２４を掘り進むものである。
【００３４】
２５はリーダ１２の案内レール１２Ａに上，下方向に移動可能に取付けられた可動ブラケット、２６は可動ブラケット２５に取付けられたドライブ装置で、ドライブ装置２６は油圧モータ等により構成され、ケリーバ２２を構成するアウタケリーバ２２Ｃの外周側に上，下方向に移動可能に係合している。そして、ドライブ装置２６は、アウタケリーバ２２Ｃに回転力を付与することにより、ケリーバ２２を介して掘削バケット２３を回転駆動するものである。
【００３５】
２７はリーダ１２に沿って上，下方向に延び、該リーダ１２と可動ブラケット２５との間に設けられたスラストシリンダで、このスラストシリンダ２７は、リーダ１２に固定されたチューブ２７Ａと、このチューブ２７Ａ内に摺動可能に設けられたピストン（図示せず）と、基端側がピストンに固着され先端側がチューブ２７Ａから突出したロッド２７Ｂとにより構成され、ロッド２７Ｂの先端側は可動ブラケット２５に取付けられている。
【００３６】
そして、ドライブ装置２６によって掘削バケット２３を回転駆動しているときに、スラストシリンダ２７のロッド２７Ｂを伸長させることにより、可動ブラケット２５、ドライブ装置２６を介してケリーバ２２に下向きの押圧力が作用し、この押圧力によって掘削バケット２３を地中に押込むことにより、掘削力を増大させることができる構成となっている。
【００３７】
２８はケリーバ側シーブ１６の下側に位置してシーブブラケット１４の角隅部１４Ａに着脱可能に取付けられたケリーバ側泥水受けで、このケリーバ側泥水受け２８は、掘削作業時に泥水が付着した主巻ロープ１８が、ケリーバ側シーブ１６に巻込まれるときに、該ケリーバ側シーブ１６によって絞り出された多くの泥水を受け入れることにより、この泥水が地面側に落下するのを抑えるものである。
【００３８】
そして、ケリーバ側泥水受け２８は、図４及び図５に示すように、薄肉の鋼板等により平板状に形成され左，右方向で互いに対向する左側板２８Ａ，右側板２８Ｂと、左，右の側板２８Ａ，２８Ｂ間を連結し各側板２８Ａ，２８Ｂの上側から斜め下向きに延びる前板２８Ｃと、この前板２８Ｃの下端側から水平方向に連続して後側に延び後端側が斜め上向きに延びた底板２８Ｄとにより、上側が泥水の流入開口となった有底の箱状に形成されている。
【００３９】
ここで、図５に示すように、各側板２８Ａ，２８Ｂ間の間隔Ａは、ケリーバ側シーブ１６の外周側に形成された主巻ロープ１８用のロープ案内溝１６Ａの溝幅ａよりも大きく設定されている。また、前板２８Ｃの幅方向の中央部には、主巻ロープ１８が通過するための切欠部２８Ｅが形成されている。さらに、底板２８Ｄには、ケリーバ側泥水受け２８内に落下した泥水を外部に排出するための排水穴２８Ｆが形成され、この排水穴２８Ｆには、後述の排水用ホース３３を接続するための継手２９が固着されている。
【００４０】
そして、ケリーバ側泥水受け２８は、シーブブラケット１４の角隅部１４Ａに左，右方向で互いに対面するように固着されたステー３０，３０及びステー３１，３１に、それぞれピン３２を用いて着脱可能に取付けられ、ケリーバ側シーブ１６の真下に配置されている。
【００４１】
３３はケリーバ側泥水受け２８の継手２９に接続された排水用ホースで、該排水用ホース３３はゴムホース等からなり、ケリーバ側泥水受け２８からリーダ１２に沿って地面側へと延びている。そして、排水用ホース３３は、ケリーバ側泥水受け２８内に落下してきた泥水を集めて地面側へと導くものである。
【００４２】
３４はウインチ側シーブ１７の下側に位置してシーブブラケット１４の角隅部１４Ｂに着脱可能に取付けられたウインチ側泥水受けで、このウインチ側泥水受け３４は、ケリーバ側シーブ１６を通過した主巻ロープ１８に泥水が残留している場合に、主巻ロープ１８がウインチ側シーブ１７に巻込まれるときに、該ウインチ側シーブ１７によって絞り出された残りの泥水を受け入れることにより、この泥水が地面側（特に、車体１のキャブ５）に落下するのを抑えるものである。
【００４３】
そして、ウインチ側泥水受け３４は、図６及び図７に示すように、薄肉の鋼板等により平板状に形成され左，右方向で互いに対向する左側板３４Ａ，右側板３４Ｂと、左，右の側板３４Ａ，３４Ｂ間を連結し各側板３４Ａ，３４Ｂの上側から垂直下向きに延びる前板３４Ｃと、この前板３４Ｃの下端側から水平方向に連続して後側に延び後側が斜め上向きに延びた底板３４Ｄとにより、上側が泥水の流入開口となった有底の箱状に形成されている。
【００４４】
ここで、図７に示すように、各側板３４Ａ，３４Ｂ間の間隔Ｂは、ウインチ側シーブ１７の外周側に形成された主巻ロープ１８用のロープ案内溝１７Ａの溝幅ｂよりも大きく設定されている。また、底板３４Ｄの幅方向の中央部には、主巻ロープ１８が通過するための切欠部３４Ｅと、ウインチ側泥水受け３４内に落下した泥水を外部に排出するための排水穴３４Ｆとが形成され、この排水穴３４Ｆには、後述の排水用ホース３９を接続するための継手３５が固着されている。
【００４５】
そして、ウインチ側泥水受け３４は、シーブブラケット１４の角隅部１４Ｂに左，右方向で互いに対面するように固着されたステー３６，３６及びステー３７，３７に、それぞれピン３８を用いて着脱可能に取付けられ、ウインチ側シーブ１７の真下に配置されている。
【００４６】
３９はウインチ側泥水受け３４の継手３５に接続された排水用ホースで、該排水用ホース３９はゴムホース等からなり、ウインチ側泥水受け３４からリーダ１２に沿って地面側へと延びている。そして、排水用ホース３９は、ウインチ側泥水受け３４内に落下してきた泥水を集めて地面側へと導くものである。
【００４７】
４０は継手４１を介して各排水用ホース３３，３９の下端側に接続された１本の集合用ホースで、この集合用ホース４０は、継手４１からリーダ１２に沿って地面の近傍まで延びている。そして、集合用ホース４０は、各泥水受け２８，３４内に落下し、排水用ホース３３，３９を流下してきた泥水を集合させ、この泥水を地面側の所望の排水場所へと導くものである。
【００４８】
本実施の形態によるアースドリルは上述の如き構成を有するもので、このアースドリルを用いて立坑２４を掘削するときには、まず、主巻ウインチ１０から主巻ロープ１８を巻出し、この主巻ロープ１８に吊下げられたケリーバ２２のインナケリーバ２２Ａを下降させることにより、掘削バケット２３を立坑２４内に挿入する。
【００４９】
次に、ドライブ装置２６によって掘削バケット２３を回転駆動すると共に、スラストシリンダ２７のロッド２７Ｂを伸長させ、掘削バケット２３を回転させつつ立坑２４内に押込む。これにより、掘削バケット２３は、ドリル部２３Ｂによって地中を掘削し、掘削した土砂を土砂収容筒部２３Ａ内に収容しつつ立坑２４を掘り進む。
【００５０】
そして、掘削バケット２３の土砂収容筒部２３Ａ内に掘削土砂が充満したときには、ドライブ装置２６を停止させた後、主巻ウインチ１０によって主巻ロープ１８を巻取ることにより、図１に示すようにケリーバ２２と掘削バケット２３とを立坑２４から地面上に引上げ、掘削バケット２３の土砂収容筒部２３Ａ内に収容された土砂を排出する排土作業を行う。
【００５１】
その後、再び主巻ウインチ１０から主巻ロープ１８を巻出して掘削バケット２３を立坑２４内に挿入し、ドライブ装置２６によって掘削バケット２３を回転させ、該掘削バケット２３によって立坑２４を掘り進む。
【００５２】
このように、掘削作業と排土作業とを繰返すことにより、立坑２４の掘削深度が大きくなると、図３に示すように、ケリーバ２２を構成するインナケリーバ２２Ａが立坑２４内に没し、このインナケリーバ２２Ａの上端部に取付けられたスイベルジョイント２１、主巻ロープ１８も立坑２４内に入り込むようになる。
【００５３】
このとき、立坑２４内には、該立坑２４の内壁が崩れ落ちるのを防止するための安定液、地下水等が混じり合った泥水４２が充満しているため、立坑２４内に入り込んだ主巻ロープ１８は泥水４２内に水没する。この場合、主巻ロープ１８は編組線であるワイヤロープからなるので、主巻ロープ１８内には多量の泥水４２が含まれるようになる。
【００５４】
この状態で、掘削バケット２３を立坑２４から地上に引上げて土砂収容筒部２３Ａ内の土砂を排土するため、図１に示すように、主巻ウインチ１０によって主巻ロープ１８を巻取っていくと、主巻ロープ１８のうち立坑２４内の泥水４２に浸かっていた部位がケリーバ側シーブ１６、ウインチ側シーブ１７に順次巻込まれ、主巻ロープ１８内に含まれた多量の泥水４２が、各シーブ１６，１７によって主巻ロープ１８から絞り出される。
【００５５】
このとき、主巻ロープ１８に付着した泥水４２の多くは、ケリーバ側シーブ１６に巻込まれることにより絞り出され、ケリーバ側シーブ１６のロープ案内溝１６Ａに沿って下方に落下するが、この泥水４２はケリーバ側シーブ１６の真下に配置されたケリーバ側泥水受け２８によって受けることができる。
【００５６】
また、ケリーバ側シーブ１６を通過した主巻ロープ１８に残留した泥水４２は、主巻ロープ１８がウインチ側シーブ１７に巻込まれるときに絞り出され、ウインチ側シーブ１７のロープ案内溝１７Ａに沿って下方に落下するが、この泥水４２はウインチ側シーブ１７の真下に配置されたウインチ側泥水受け３４によって受けることができる。
【００５７】
このように、立坑２４の掘削作業時に主巻ロープ１８に泥水４２が付着し、この主巻ロープ１８が各シーブ１６，１７に巻込まれるときに泥水４２が絞り出されたとしても、各シーブ１６，１７の下側には泥水受け２８，３４が配設されているので、主巻ロープ１８から絞り出された泥水４２が、地上の作業者、車体１のキャブ５等に向けて飛散するのを確実に抑えることができ、掘削作業時における作業環境を大幅に向上することができる。
【００５８】
しかも、ケリーバ側泥水受け２８を構成する各側板２８Ａ，２８Ｂ間の間隔Ａを、ケリーバ側シーブ１６のロープ案内溝１６Ａの溝幅ａよりも大きく設定したので、主巻ロープ１８から絞り出され、ケリーバ側シーブ１６のロープ案内溝１６Ａに沿って落下してくる泥水４２を、ケリーバ側泥水受け２８内に確実に受け入れることができる。また、ウインチ側泥水受け３４を構成する各側板３４Ａ，３４Ｂ間の間隔Ｂを、ウインチ側シーブ１７のロープ案内溝１７Ａの溝幅ｂよりも大きく設定したので、主巻ロープ１８から絞り出され、ウインチ側シーブ１７のロープ案内溝１７Ａに沿って落下してくる泥水４２を、ウインチ側泥水受け３４内に確実に受け入れることができる。
【００５９】
そして、ケリーバ側泥水受け２８内に落下した泥水４２は、ケリーバ側泥水受け２８の継手２９に接続された排水用ホース３３に集められた状態で該排水用ホース３３内を流下し、ウインチ側泥水受け３４内に落下した泥水４２は、ウインチ側泥水受け３４の継手３５に接続された排水用ホース３９に集められた状態で該排水用ホース３９内を流下し、集合用ホース４０内で合流した後、所望の排水場所へと導かれる。
【００６０】
これにより、各泥水受け２８，３４内に落下した泥水４２を、排水用ホース３３，３９及び集合用ホース４０によって集めて地面側へと導き、所望の排水場所に効率良く排出することができ、主巻ロープ１８から多量の泥水４２が絞り出されたとしても、この泥水４２を迅速に処理することができる。
【００６１】
また、ケリーバ側泥水受け２８をピン３２を用いてシーブブラケット１４に着脱可能に取付け、ウインチ側泥水受け３４をピン３８を用いてシーブブラケット１４に着脱可能に取付ける構成としたので、例えばアースドリルの輸送時等において、車体１に対するリーダ１２の分解、組立作業を行う場合に、各泥水受け２８，３４をシーブブラケット１４に対して着脱することにより、リーダ１２等の分解、組立作業時に誤って各泥水受け２８，３４を破損してしまうのを抑えることができ、これら泥水受け２８，３４を保護することができる。
【００６２】
なお、上述した実施の形態では、上部旋回体３に取付けられるフロントとして、地面に対してほぼ垂直な姿勢となって上，下方向に延びるリーダ１２を備えたアースドリルを例に挙げて説明したが、本発明はこれに限るものではなく、例えば地面に対して斜め上，下方向に延びるクレーンブームをフロントとして用いたアースドリルにも適用することができる。
【００６３】
【発明の効果】
以上詳述した通り、請求項１の発明によれば、フロントの上端側に設けられたシーブの下側に泥水受けを設ける構成としたので、掘削作業時にワイヤロープに立坑内の泥水が付着し、ワイヤロープがシーブに巻込まれるときに該ワイヤロープから泥水が絞り出されたとしても、該泥水をシーブの下側に設けた泥水受けによって受けることができる。このため、ワイヤロープから落下した泥水が、地上の作業者、アースドリルの車体等に向けて飛散するのを抑えることができ、掘削作業時における作業環境を大幅に向上することができる。
【００６４】
また、請求項２の発明によれば、泥水受けに、該泥水受け内に落下した水分を集めて地面側へと導く排水用ホースを設ける構成としたので、ワイヤロープから絞り出されて泥水受け内に落下した泥水を、排水用ホースによって地面側へと導くことができる。このため、泥水を排水用ホースを用いて所望の排水場所に効率良く排出することができる。
【００６５】
また、請求項３の発明によれば、フロントの上端側に、ケリーバ側に位置するケリーバ側シーブとロープウインチ側に位置するウインチ側シーブとを回転可能に支持するシーブブラケットを設け、泥水受けを、各シーブの下側に位置してシーブブラケットにそれぞれ設ける構成としたので、掘削作業時にワイヤロープに付着し、ケリーバ側シーブに巻込まれるときにワイヤロープから絞り出された多くの泥水を、ケリーバ側シーブの下側に設けた泥水受けによって受けることができる。また、ケリーバ側シーブを通過してウインチ側シーブに巻込まれるときに、このワイヤロープに残留した泥水が絞り出されたとしても、この泥水をウインチ側シーブの下側に設けた泥水受けによって受止めることができる。
【００６６】
さらに、請求項４の発明によれば、泥水受けを、シーブの下側に着脱可能に取付ける構成としたので、アースドリルの輸送時等において、車体に対するフロントの分解、組立を行う場合に、各泥水受けをフロントに対して着脱することができる。これにより、分解、組立作業時に誤って泥水受けを破損してしまうのを抑えることができ、該泥水受けを保護することができる。
【図面の簡単な説明】
【図１】本発明に係るアースドリルの実施の形態を示す正面図である。
【図２】図１中のシーブブラケット、シーブ、泥水受け、排水用ホース等を拡大して示す拡大正面図である。
【図３】立坑の掘削時に主巻ロープが立坑内の泥水に浸かる状態を示す作業状態図である。
【図４】図２中のケリーバ側シーブ、ケリーバ側泥水受け等を一部破断にして示す要部拡大図である。
【図５】ケリーバ側シーブ、ケリーバ側泥水受け等を図４中の矢示Ｖ−Ｖ方向からみた側面図である。
【図６】図２中のウインチ側シーブ、ウインチ側泥水受け等を一部破断にして示す要部拡大図である。
【図７】ウインチ側シーブ、ウインチ側泥水受け等を図６中の矢示VII−VII方向からみた側面図である。
【符号の説明】
１  車体
２  下部走行体
３  上部旋回体
１０  主巻ウインチ（ロープウインチ）
１２  リーダ（フロント）
１４  シーブブラケット
１６  ケリーバ側シーブ
１６Ａ，１７Ａ  ロープ案内溝
１７  ウインチ側シーブ
１８  主巻ロープ（ワイヤロープ）
２２  ケリーバ
２３  掘削バケット（掘削具）
２８  ケリーバ側泥水受け
３３  排水用ホース
３４  ウインチ側泥水受け
３９  排水用ホース
【図１】
0003745645.tif 000002
【図２】
0003745645.tif 000003
【図３】
0003745645.tif 000004
【図４】
0003745645.tif 000005
【図５】
0003745645.tif 000006
【図６】
0003745645.tif 000007
【図７】
0003745645.tif 000008